【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
NAN（Neighbor Awareness Networking）に準拠するネットワークにおいて他の通信装置と通信可能な通信装置であって、
それぞれが固有の属性値を有する複数のNANクラスタのうちの第1のNANクラスタに参加している間に、前記複数のNANクラスタのうちの第2のNANクラスタの存在を検知する検知手段と、
前記第2のNANクラスタの属性値と、前記第1のNANクラスタの属性値とを比較する比較手段と、
前記第2のNANクラスタの属性値が前記第1のNANクラスタの属性値より低い場合に、前記第1のNANクラスタの存在を示す情報を前記第2のNANクラスタに対して送信する送信手段と、
を有することを特徴とする通信装置。
【請求項２】
前記通信装置の前記第1のNANクラスタにおける役割がMasterである場合、前記送信手段は、前記第1のNANクラスタの存在を示す情報を含むDiscovery Beaconを送信することを特徴とする請求項１に記載の通信装置。
【請求項３】
前記通信装置の役割を変更する変更手段を更に有し、
前記通信装置の前記第1のNANクラスタにおける役割がMasterでない場合、前記変更手段は、前記通信装置の役割をMasterに変更し、前記送信手段は、前記Discovery Beaconを送信することを特徴とする請求項２に記載の通信装置。
【請求項４】
前記通信装置の前記第1のNANクラスタにおける役割がMasterでない場合、前記送信手段は、前記第1のNANクラスタの存在を示す情報を含むSynchronization Beaconを送信することを特徴とする請求項１または２に記載の通信装置。
【請求項５】
前記通信装置の役割を変更する変更手段を更に有し、
前記通信装置の前記第1のNANクラスタにおける役割がMasterでない場合、
所定の条件を満たす場合は、前記変更手段は、前記通信装置の役割をMasterに変更し、前記送信手段は前記Discovery Beaconを送信し、
前記所定の条件を満たさない場合は、前記送信手段は、前記第1のNANクラスタの存在を示す情報を含むSynchronization Beaconを送信することを特徴とする請求項２に記載の通信装置。
【請求項６】
前記所定の条件は、前記検知手段により前記第2のNANクラスタの存在が検知された時点で、所定の時間を経過しているか否かであることを特徴とする請求項５に記載の通信装置。
【請求項７】
前記送信手段は、前記第2のNANクラスタに定められるDW（Discovery Window）において前記Discovery Beaconを送信することを特徴とする請求項２、３、５、６のいずれか１項に記載の通信装置。
【請求項８】
前記送信手段は、前記第2のNANクラスタに定められるDW（Discovery Window）において前記Synchronization Beaconを送信することを特徴とする請求項４から６のいずれか１項に記載の通信装置。
【請求項９】
前記第2のNANクラスタの属性値が前記第1のNANクラスタの属性値より高い場合、前記送信手段は前記第2のNANクラスタの存在を示す情報を含むSynchronization Beaconを前記第1のNANクラスタに対して送信することを特徴とする請求項１に記載の通信装置。
【請求項１０】
前記通信装置の役割を変更する変更手段を更に有し、
前記通信装置の前記第1のNANクラスタにおける役割がNon-Master Non-Syncである場合、前記変更手段は、前記通信装置の役割をMasterまたはNon-Master Syncに変更し、前記送信手段は前記Synchronization Beaconを送信することを特徴とする請求項９に記載の通信装置。
【請求項１１】
前記送信手段は、前記第1のNANクラスタに参加している他の通信装置が前記Synchronization Beaconを受信可能な時間期間に、前記Synchronization Beaconを送信することを特徴とする請求項９または１０に記載の通信装置。
【請求項１２】
前記時間期間は前記第1のNANクラスタに定められるDW（Discovery Window）のうち前記他の通信装置により指定されたDWであることを特徴とする請求項１１に記載の通信装置。
【請求項１３】
複数の通信装置からなる集合に参加し、当該集合に参加している他の通信装置と通信可能な通信装置であって、
前記通信装置が参加している第1の集合とは異なる第2の集合を検知する検知手段と、
前記第1の集合の属性値と、前記第2の集合の属性値とを比較する比較手段と、
前記比較の結果、前記第2の集合の属性値が前記第1の集合の属性値より低い場合に、前記第1の集合の存在を示す情報を前記第2の集合に参加している通信装置に送信する送信手段と、
を有することを特徴とする通信装置。
【請求項１４】
NAN（Neighbor Awareness Networking）に準拠するネットワークにおいて他の通信装置と通信可能な通信装置の制御方法であって、
それぞれが固有の属性値を有する複数のNANクラスタのうちの第1のNANクラスタに参加している間に、前記複数のNANクラスタのうちの第2のNANクラスタの存在を検知する検知工程と、
前記第2のNANクラスタの属性値と、前記第1のNANクラスタの属性値とを比較する比較工程と、
前記第2のNANクラスタの属性値が前記第1のNANクラスタの属性値より低い場合に、前記第1のNANクラスタの存在を示す情報を前記第2のNANクラスタに対して送信する送信工程と、
を有することを特徴とする通信装置の制御方法。
【請求項１５】
複数の通信装置からなる集合に参加し、当該集合に参加している他の通信装置と通信可能な通信装置の制御方法であって、
前記通信装置が参加している第1の集合とは異なる第2の集合を検知する検知工程と、
前記第1の集合の属性値と、前記第2の集合の属性値とを比較する比較工程と、
前記比較の結果、前記第2の集合の属性値が前記第1の集合の属性値より低い場合に、前記第1の集合の存在を示す情報を前記第2の集合に参加している通信装置に送信する送信工程と、
を有することを特徴とする通信装置の制御方法。
【請求項１６】
コンピュータを、請求項１から１３のいずれか１項に記載の通信装置として機能させるためのプログラム。
【手続補正２】
【補正対象書類名】明細書
【補正対象項目名】００１１
【補正方法】変更
【補正の内容】
【００１１】
上記目的を達成するための一手段として、本発明の通信装置は以下の構成を有する。すなわち、NAN（Neighbor Awareness Networking）に準拠するネットワークにおいて他の通信装置と通信可能な通信装置であって、それぞれが固有の属性値を有する複数のNANクラスタのうちの第1のNANクラスタに参加している間に、前記複数のNANクラスタのうちの第2のNANクラスタの存在を検知する検知手段と、前記第2のNANクラスタの属性値と、前記第1のNANクラスタの属性値とを比較する比較手段と、前記第2のNANクラスタの属性値が前記第1のNANクラスタの属性値より低い場合に、前記第1のNANクラスタの存在を示す情報を前記第2のNANクラスタに対して送信する送信手段と、を有する。